(57)【要約】【課題】ホースフックを容易に取り付けできる汎用性のあるシャワ掛けを提供すること。【解決手段】シャワヘッド６を保持するシャワフック部１１と、シャワヘッド６および水栓１間を接続するシャワホース３を保持するホースフック部１２とを別体に形成し、両者１１，１２を共通のビスＣで壁Ｗに固定してなる。【選択図】　　　　図３
2004003178.tif 000002
【特許請求の範囲】
【請求項１】
シャワヘッドを保持するシャワフック部と、シャワヘッドおよび水栓間を接続するシャワホースを保持するホースフック部とを別体に形成し、両者を共通のビスで壁に固定してなることを特徴とするシャワ掛け。
【請求項２】
前記ホースフック部は、前記シャワフック部に設けた孔に位置合わせ可能な孔を有し、位置合わせされた前記シャワフック部の孔および前記ホースフック部の孔に前記ビスを挿入することで前記シャワフック部と前記ホースフック部とを前記壁に固定してなる請求項１に記載のシャワ掛け。
【発明の詳細な説明】
【０００１】
【発明の属する技術分野】
この発明は、シャワ掛けに関する。
【０００２】
【従来の技術および発明が解決しようとする課題】
浴室内に設けたシャワヘッドおよび水栓間を接続するシャワホースの垂れによる足への引っ掛かりを防止するためや、シャワホースが邪魔にならず浴室の洗い場が広く使える等のために、シャワホースを保持するホースフック部を、シャワヘッドを保持するシャワフック部と一体に形成したホースフック付シャワ掛けが提案されている（特開平１０−２１２７４５号公報参照）けれども、浴室の壁面にビスをねじ込むことによって固定されていた既設のシャワ掛けを新たに前記ホースフック付シャワ掛けに交換する必要があり、コスト高となっていた。
【０００３】
この発明はこのような実情を考慮に入れてなされたものであって、ホースフックを容易に取り付けできる汎用性のあるシャワ掛けを提供することを目的としている。
【０００４】
【課題を解決するための手段】
上記目的を達成するため、この発明のシャワ掛けは、シャワヘッドを保持するシャワフック部と、シャワヘッドおよび水栓間を接続するシャワホースを保持するホースフック部とを別体に形成し、両者を共通のビスで壁に固定してなることを特徴とする。
【０００５】
【発明の実施の形態】
図１〜図１０は、この発明の第１の実施形態を示す。
【０００６】
図１〜図１０において、１は、浴室Ｂの壁Ｗに設置された湯水混合水栓である。湯水混合水栓１は、洗い場における人が座りながら使用できる程度に低い位置に設置されており、吐水管２の側とシャワホース３の側に切替自在に構成されている。４は、浴槽で、５は、洗い場の床である。前記シャワホース３の上流端は湯水混合水栓１のホース取り付け部（図示せず）に接続されている。
【０００７】
６は、前記シャワホース３の下流端が接続されているシャワヘッドである。７は、壁Ｗの洗い場に対応する上部位置に上下二つのビスＡ，Ａによってねじ止めされたシャワフック部である。
【０００８】
以下、この発明の特徴的構成について説明する。
【０００９】
１０は、シャワ掛けで、シャワフック部１１とホースフック部１２とを別体に形成し、両者１１，１２を共通の上下二つのビスＣ，Ｃで浴室Ｂの壁Ｗに固定してなるものである。
【００１０】
シャワフック部１１は、上方から挿入されるシャワヘッド６を、シャワヘッド６の保持部６ａを介して前傾姿勢で保持するために上下方向に切り欠いて形成された切欠２１を有し、壁Ｗの洗い場に対応するシャワフック部７および湯水混合水栓１間の中間位置に前記二つのビスＣ，Ｃによってねじ止めされる。１５ａは、前記二つのビスＣ，Ｃのうち一つの前記ビスＣが挿通する丸孔である。１５ｂは、前記二つのビスＣ，Ｃのうちもう一つの前記ビスＣが挿通する、丸孔１５ａと同じ大きさの丸孔で、孔１５ａの直下に位置する。
【００１１】
ホースフック部１２は、シャワホース３の挿通部分を水平姿勢で保持するために前記上下方向に垂直な左右方向に切り欠いて形成された切欠２２を有する。更に、ホースフック部１２は、浴室Ｂの壁Ｗの前面Ｗ’に当接する当接面１２ａ，１２ｂ，１２ｃ，１２ｄを裏側に有し、左右方向よりも上下方向に長い板状部１３と、板状部１３の下部前面から前方の方向に突出し前記切欠２２を形成するための上下一対の突出部１４，１４とを有するとともに、シャワフック部１１に設けた前記丸孔１５ａに位置合わせ可能で、丸孔１５ａよりも上下方向に長い長孔１６ａと、シャワフック部１１に設けた前記丸孔１５ｂに位置合わせ可能で、丸孔１５ｂと同径の丸孔１６ｂを板状部１３の上部にそれぞれ有する。
【００１２】
そして、位置合わせされた前記シャワフック部１１の丸孔１５ａおよび前記ホースフック部１２の長孔１６ａと、位置合わせされた前記シャワフック部１１の丸孔１５ｂおよび前記ホースフック部１２の丸孔１６ｂにそれぞれ前記ビスＣ，Ｃを挿入することで前記シャワフック部１１と前記ホースフック部１２とが前記壁Ｗに固定されうる。
【００１３】
この実施形態では前記ビスＣとして木ねじを用いており、ビスＣは、浴室Ｂの壁Ｗから壁Ｗの背面側に位置する木製の間柱１７に至る。
【００１４】
更に、シャワフック部１１は、ホースフック部１２の前記板状部１３の上部前面Ｍに当接する当接面１１ａ，１１ｂ，１１ｃを裏側に有する。
【００１５】
なお、１８は、板状部１３の下部の前記切欠２２内に板状部１３の前面から背面に貫通する形で設けた丸孔で、この丸孔１８にビスＣと同様のビスを通すことにより、ホースフック部１２を単独で浴室Ｂの壁Ｗに固定できる。
【００１６】
而して、ホースフック部１２の裏側を、図３に示すように浴室Ｂの壁Ｗの前面Ｗ’に当接させた状態で、シャワフック部１１の裏側をホースフック部１２の前記板状部１３の上部前面Ｍに当接させる。この場合、丸孔１５ａと長孔１６ａの位置合わせを行うとともに、丸孔１５ｂと丸孔１６ｂの位置合わせを行う。そして、位置合わせされた丸孔１５ａと長孔１６ａに前記ビスＣを挿入するとともに、位置合わせされた丸孔１５ｂと丸孔１６ｂにもう一つの前記ビスＣを挿入することで前記シャワフック部１１と前記ホースフック部１２を有するシャワ掛け１０を前記壁Ｗに固定できる。
【００１７】
ところで、シャワ掛け１０の位置に、既設の、例えば、ビスＡ，Ａによってねじ止めされたシャワフック部７と同様のシャワフック部があった場合、この既設のシャワフック部に設けた上下一対の孔にそれぞれホースフック部１２の長孔１６ａとホースフック部１２の丸孔１６ｂの位置合わせを行い、前記ビスＡを挿入することでシャワ掛け１０のシャワフック部１１を用いないで既設のシャワフック部と前記ホースフック部１２とを前記壁Ｗに固定できる。このとき、ホースフック部１２は長孔１６ａを有するので、既設のシャワフック部に設けた上下一対の孔の間隔がシャワフック部１１の丸孔１５ａ，１５ｂの間隔と多少異なっていたり、既設のシャワフック部に設けた上下一対の孔がシャワフック部１１の丸孔１５ａ，１５ｂと多少大きさが異なっていても、板状部１３の上部前面Ｍ上を上下移動させながら既設のシャワフック部に設けた下の孔とホースフック部１２の丸孔１６ｂとを容易に位置合わせできる利点を有する。また、従来例では前記既設のシャワフック部を交換していたが、この発明では前記既設のシャワフック部を交換する必要はない。更に、図１で示したシャワフック部７の代わりにシャワ掛け１０の前記シャワフック部１１を用いることもできる。
【００１８】
図１１は、図１０に示した長孔１６ａと丸孔１５ｂの代わりに長孔１６ａと丸孔１５ｂを含む領域の上下方向に長い長孔３０を板状部１３の上部に形成してあるホースフック部１２を有するこの発明の第２の実施形態を示す。なお、図１１において、図１〜図１０に示した符号と同一のものは同一または相当物である。
【００１９】
この場合、ホースフック部１２は長孔３０を有するので、既設のシャワフック部に設けた上下一対の孔の間隔が前記シャワフック部１１の丸孔１５ａ，１５ｂの間隔と多少異なっていたり、既設のシャワフック部に設けた上下一対の孔がシャワフック部１１の丸孔１５ａ，１５ｂと多少大きさが異なっていても、板状部１３の上部前面Ｍ上を上下移動させながら既設のシャワフック部に設けた上下の孔を長孔３０に容易に位置合わせできる利点を有する。
【００２０】
図１２は、図１０に示した上下方向に配列された長孔１６ａと丸孔１５ｂ以外に、更に、板状部１３の上部に、上下方向に直角な水平方向に長孔１６ａ’と丸孔１５ｂ’を設け、左右一対の孔を有する既設のシャワフック部にも対応できるように構成されたこの発明の第３の実施形態を示す。なお、図１２において、図１〜図１１に示した符号と同一のものは同一または相当物である。
【００２１】
図１３は、図１２に示した長孔１６ａと丸孔１５ｂの代わりに長孔１６ａと丸孔１５ｂを含む領域の上下方向に長い長孔部分３０’と、図１２に示した長孔１６ａ’と丸孔１５ｂ’の代わりに長孔１６ａ’と丸孔１５ｂ’を含む領域の左右方向に長い長孔部分３０’’とを交差させてなる十字型の長孔３１を板状部１３の上部に形成してあるホースフック部１２を有するこの発明の第４の実施形態を示す。なお、図１３において、図１〜図１２に示した符号と同一のものは同一または相当物である。
【００２２】
この実施形態では、上下一対の孔を有する既設のシャワフック部と、左右一対の孔を有する既設のシャワフック部の両方に対応できるとともに、上記第３の実施形態よりもより汎用性を有する。
【００２３】
図１４は、図１３に示した十字型の長孔３１を含み、長孔部分３０’，３０’’の長さを直径とする大きな丸孔３３を板状部１３の上部に形成してあるホースフック部１２を有するこの発明の第５の実施形態を示す。なお、図１４において、図１〜図１３に示した符号と同一のものは同一または相当物である。
【００２４】
この実施形態では、上記第４の実施形態よりもより汎用性を有する。
【００２５】
【発明の効果】
以上詳述したようにこの発明では、ホースフックを容易に取り付けできる汎用性のあるシャワ掛けを提供することができる効果がある。
【図面の簡単な説明】
【図１】この発明の第１の実施形態における設置動作を示す図である。
【図２】上記実施形態における使用状態を示す斜視図である。
【図３】上記実施形態における分解図である。
【図４】上記実施形態における設置状態を示す構成説明図である。
【図５】上記実施形態で用いたシャワフック部の平面図である。
【図６】上記実施形態で用いたシャワフック部の正面図である。
【図７】上記実施形態で用いたシャワフック部の背面図である。
【図８】上記実施形態で用いたホースフック部の正面図である。
【図９】上記実施形態で用いたホースフック部の背面図である。
【図１０】上記実施形態で用いたホースフック部の斜視図である。
【図１１】この発明の第２の実施形態で用いたホースフック部の斜視図である。
【図１２】この発明の第３の実施形態で用いたホースフック部の斜視図である。
【図１３】この発明の第４の実施形態で用いたホースフック部の斜視図である。
【図１４】この発明の第５の実施形態で用いたホースフック部の斜視図である。
【符号の説明】
１…水栓、６…シャワヘッド、１０…シャワ掛け、１１…シャワフック部、１２…ホースフック部、Ｃ…ビス、Ｗ…壁。
【図１】
2004003178.tif 000003
【図２】
2004003178.tif 000004
【図３】
2004003178.tif 000005
【図４】
2004003178.tif 000006
【図５】
2004003178.tif 000007
【図６】
2004003178.tif 000008
【図７】
2004003178.tif 000009
【図８】
2004003178.tif 000010
【図９】
2004003178.tif 000011
【図１０】
2004003178.tif 000012
【図１１】
2004003178.tif 000013
【図１２】
2004003178.tif 000014
【図１３】
2004003178.tif 000015
【図１４】
2004003178.tif 000016